(57)【要約】【課題】広告情報を検索し、料理に利用したい特売商品をサービス利用者自ら探し出す必要があるが、一般的に広告情報は日々多数発信されるものであり、その中から商品を選択するのは大変煩わしい作業となる。また、一般的に毎日の献立を考えるの煩わしい作業である。【解決手段】日々発信される特売情報やレシピ情報を加工し格納する。これら情報と個人情報、店舗情報を段階的につき合わせることで、サービス利用者に最適な献立とレシピを煩わしい作業をすることなく提供する。【選択図】図１
2010257271.tif 000002
【特許請求の範囲】
【請求項１】
日々発信される特売情報、レシピ情報、サービス利用者の個人情報、店舗情報をつき合わせることで、サービス利用者に最適な献立とレシピを煩わしい作業をすることなく提供する献立レシピ提供システム。
【請求項２】
請求項１の献立レシピ提供システムでは、献立レシピを提供するサーバコンピュータである献立レシピ提供サーバを利用して、利用者が外部端末からネットワークを介して献立レシピを入手する方法であって、利用者の個人情報を登録する段階と、個人情報に基づき食材を抽出する段階と、利用者の嗜好に合ったメイン料理を抽出する段階と、メイン料理とのバランスを加味し、サブ料理を抽出する段階とを有することを特徴とする献立レシピ提供システム。
【請求項３】
前記献立レシピ提供サーバは、レシピ情報、特売情報、店舗情報、個人情報を管理しており、日々発信される特売情報やレシピ情報を加工し格納することにより、最適な献立作成を可能することを特徴とする請求項１に記載の献立レシピ提供システム。
【請求項４】
請求項１の献立レシピ提供システムでは、献立レシピ提供段階において、店舗情報と個人情報を基に、最適な形で情報を提供することを特徴とする献立レシピ提供システム。
【発明の詳細な説明】
【技術分野】
【０００１】
本発明は、インターネットを利用して情報を提供する情報提供システムに関するものである。
【背景技術】
【０００２】
現在、インターネットを利用してパソコンや携帯電話に特売広告を提供するサービスが存在する。また、インターネット上では、料理のレシピを検索する等のサービスが提供されている。最近では、特売広告とレシピを連動させ、特売広告に掲載されている商品を組み合わせて調理できるレシピを提供する下記特許文献１（特開２００４−１７８１６１号公報）や、献立とレシピを提供する下記特許文献２（特開２００４−３０２５３６号公報）のようなシステムが提案されている。
【先行技術文献】
【特許文献】
【０００３】
【特許文献１】特開２００４−１７８１６１号公報
【特許文献２】特開２００４−３０２５３６号公報
【発明の概要】
【発明が解決しようとする課題】
【０００４】
上記特許文献１では、レシピを入手するために、広告情報を検索し、料理に利用したい特売商品をサービス利用者自ら探し出す必要があるが、一般的に広告情報は日々多数発信されるものであり、その中から商品を選択するのは大変煩わしい作業となる。上記特許文献２では、サービス利用者があらかじめ希望する献立を決め、献立に合致した特売商品を提供するが、一般的に毎日の献立を考えるの煩わしい作業である。
【０００５】
本発明では、このような背景においてなされたものであり、本発明の目的は、各店舗から日々発信される特売情報を基に、サービス利用者が煩わしい作業をすることなく最適な献立とレシピを提供することである。
【課題を解決するための手段】
【０００６】
上記目的を達成するために、本発明では、日々発信される特売情報やレシピ情報を加工し格納するようにしたことを特徴とする。また、利用者の個人情報を登録する段階と、個人情報に基づき食材を抽出する段階と、利用者の嗜好に合ったメイン料理を抽出する段階と、メイン料理とのバランスを加味し、サブ料理を抽出する段階との４つの段階を設けたことを特徴とする。本発明によれば、情報が付加された特売情報とレシピ情報、また個人情報を段階的につき合わせることで、献立とレシピが提供される。また、店舗情報とつき合わせることにより、サービス利用者が献立とレシピを入手する段階で最適な状態となる。
【発明の効果】
【０００７】
本発明による献立レシピ提供システムでは、サービス利用者が個人情報を登録し、献立のキーとなるメイン料理を選択するだけで、サブ料理を自動抽出し、献立として提供する。そのためサービス利用者は煩わしい作業をすることなく、最適な献立とレシピを入手することが可能になる。また、必要食材の特売情報と取扱最寄り店情報も入手可能なため、サービス利用者にとって、より活用度の高い献立レシピとなる。
【図面の簡単な説明】
【０００８】
【図１】本発明の概要を示す全体構成図である。
【図２】レシピ情報ＤＢのレシピ情報格納テーブルを示す図である。
【図３】特売情報ＤＢの特売情報格納テーブルを示す図である。
【図４】店舗情報ＤＢの店舗情報格納テーブルを示す図である。
【図５】個人情報ＤＢの個人情報格納テーブルを示す図である。
【図６】レシピ検出プログラムの機能構成を示した図である。
【図７】個人情報登録部での処理のフローチャートを示す図である。
【図８】個人情報を入力する画面を示す図である。
【図９】カロリー算出表の一例を示す図である。
【図１０】食材抽出部での処理のフローチャートを示す図である。
【図１１】メイン料理抽出部での処理のフローチャートを示す図である。
【図１２】メイン料理の条件を選択する画面を示す図である。
【図１３】メイン料理を決定する画面を示す図である。
【図１４】サブ料理抽出部での処理のフローチャートを示す図である。
【図１５】献立レシピを提示する画面を示す図である。
【図１６】献立レシピの詳細を提示する画面を示す図である。
【発明を実施するための形態】
【０００９】
以下、本発明の実施例を図面に基づいて詳細に説明する。
【００１０】
図１は本発明の献立レシピ提供システムの構成を示したものである。献立レシピ提供システムは、献立レシピ提供サーバ１００、端末装置２００、レシピ提供サイト３００、店舗サイト４００がネットワーク５００を介して接続された構成となっている。献立レシピ提供サーバ１００は、レシピ情報ＤＢ１１０、特売情報ＤＢ１２０、店舗情報ＤＢ１３０、個人情報ＤＢ１４０、献立レシピ検出プログラム１５０から構成されたサーバコンピュータであり、ＷＷＷサーバ、アプリケーションサーバ、データベースサーバとしての機能を備えている。端末装置２００は、ＷＷＷブラウザ及び電子メール機能を搭載したパーソナルコンピュータ、携帯電話、ＰＤＡなどの端末装置である。レシピ提供サイト３００は、個人、企業及び団体が運営するＷｅｂサイト及びブログである。店舗サイト４００は企業が運営するＷｅｂサイトである。ネットワーク５００は、ＴＣＰ／ＩＰプロトコルを利用してデータの送受信を可能としたネットワーク回線である。
【００１１】
図２はレシピ情報ＤＢ１１０のレシピ情報格納テーブルを示したものである。献立の自動検出を行うため、テーブルには少なくとも、料理名０１、カテゴリ(1)０２、カテゴリ(2)０３、カテゴリ(3)０４、カロリー０５、価格０６、ＳＶ数（主菜）０７、ＳＶ数（副菜）０８、作り方０９、キー食材１０、を１レコードとして格納する。料理名０１には料理名が入る。カテゴリ(1)０２、カテゴリ(2)０３、カテゴリ(3)０４には料理を絞り込むためのデータが入り、カテゴリ(1)０２にはメイン料理もしくはサブ料理が、カテゴリ(2)０３には和食、洋食、中華のどれかが、カテゴリ(3)０４には調理時間（１０分以下、１０〜２０分、２０分〜３０分、３０分以上）が入る。カロリー０５には料理のカロリーが入る。価格０６には料理一人前の価格で、キー食材から一人前の価格を算出し、その他食材の価格と合わせたものが入る。ＳＶ数（主菜）０７、ＳＶ数（副菜）０８には「食事バランスガイド」（健康で豊かな食生活の実現を目的に策定された「食生活指針」（平成12年3月）を具体的に行動に結びつけるものとして、平成17年6月に農林水産省と厚生労働省により決定されたものhttp://www.maff.go.jp/j/balance_guide/index.html）を基にしたデータが入り、ＳＶ数（主菜）０７には料理の主菜量、ＳＶ数（副菜）０８には料理の副菜量が入る。作り方０９には料理の作り方が入る。キー食材１０には料理を作るに当たってキーとなる食材で、特売情報ＤＢ１２０と紐づいた食材識別ＩＤが入る（食材識別ＩＤについては後述する）。
【００１２】
レシピ情報ＤＢ１１０へのデータ格納は、献立レシピ提供システムの管理者が行う。管理者は、ネットワーク５００を介しレシピ提供サイト３００よりレシピを入手する。一般的なレシピは、必要な食材と作り方の２種類のデータのみであるため、管理者はサイトより入手したレシピに格納のために必要なデータを付加し、レシピ情報ＤＢ１１０に格納する。
【００１３】
図３は特売情報ＤＢ１２０の特売情報格納テーブルを示したものである。食材を一意に特定するため、テーブルには少なくとも、商品Ｎｏ１１、食材識別ＩＤ１２、商品名１３、種別(1)１４、種別(2)１５、状態(1)１６、状態(2)１７、ブランド１８、価格１９、店舗ＩＤ２０、を１レコードとして格納する。商品Ｎｏ１１にはテーブルを管理するためのＮｏがテーブルごとに付与され入る。食材識別ＩＤ１２には食材を識別するためのＩＤが入り、商品名１３、種別(1)１４、種別(2)１５、状態(1)１６、状態(2)１７、ブランド１８によりＩＤは決まる。商品名１３、種別(1)１４、種別(2)１５、状態(1)１６、状態(2)１７、ブランド１８が同一データのものは同じＩＤとなり、１つでも異なれば違うＩＤとなる。商品名１３、種別(1)１４、種別(2)１５、状態(1)１６、状態(2)１７、ブランド１８には、食材識別ＩＤを特定する情報が入る。商品名１３には商品名が入り、種別(1)１４には主菜か副菜か主食か乳製品か果物かが入る。種別(2)１５には種別(1)１４の更に詳細な情報として例えば主菜であれば肉なのか魚なのか大豆なのかが入る（種別(1)１４、種別(2)１５は共に上記「食事バランスガイド」より決定された情報に基づく）。状態(1)１６には、生か乾燥か冷凍か保存状態を示すデータが入り、状態(2)１７には切り身かミンチかなど形状を示すデータが入る。ブランド１８はブランドフラグであり、価格が高くても質の良いものと判断されたものにフラグが立つ。例えば牛肉の場合、松坂牛であればブランドフラグが立つが、ブラジル産はブランドフラグが立たない、という具合に判定し入れる。価格１９には食材の価格が入る。店舗ＩＤ２０には店舗情報ＤＢ１３０と紐づいたＩＤが入る（店舗情報ＤＢ１３０については後述する）。
【００１４】
特売情報ＤＢ１２０へのデータ格納は、献立レシピ提供システムの管理者が行っても良いし、店舗が行っても良い。管理者が行う場合、管理者はネットワーク５００を介し店舗サイト４００より特売情報を入手し、格納のために必要な情報を付加し、特売情報ＤＢ１２０に格納する。店舗が行う場合は、店舗からネットワーク５００を介し特売情報ＤＢ１２０に必要なデータを格納する。店舗サイト４００の特売情報は日々更新されるため、特売情報ＤＢ１２０もそれに応じ日々更新される。
【００１５】
図４は店舗情報ＤＢ１３０の店舗情報格納テーブルを示したものである。店舗情報ＤＢ１３０には特売情報を取り扱う店舗の情報が格納されており、テーブルには少なくとも店舗ＩＤ２１、店舗名２２、郵便番号２３、住所２４、最寄り駅２５、駅からの距離２６、地図２７を１レコードとして格納する。店舗ＩＤ２１は店舗を一意に特定するためのＩＤであり店舗ごとに付与され入る。店舗名２２には店舗名が入る。郵便番号２３、住所２４には店舗の所在地を示すデータがそれぞれ入る。最寄り駅２５には店舗所在地から最も近い路線の駅名が入る。駅からの距離２６には所在地から最寄駅までの距離で、５０ｍ以内、１００ｍ以内、２００ｍ以内、４００ｍ以内のどれかが入る。地図２７には店舗所在地を示す地図データが入る。
【００１６】
図５は個人情報ＤＢ１４０の個人情報格納テーブルを示したものである。個人情報ＤＢ１４０にはサービス利用者に合った献立レシピを提供するために必要な、利用者の個人情報が格納されている。テーブルには少なくとも、個人ＩＤ３１、性別３２、年齢３３、カロリー数３４、ＳＶ数（主菜）３５、ＳＶ数（副菜）３６、最寄り駅３７、該当範囲３８、苦手な食材(1)３９、苦手な食材(2)４０、を１レコードとして格納する。個人ＩＤ３１は利用者を一意に特定するためのＩＤであり利用者ごとに付与され入る。性別３２、年齢３３には利用者の性別、年齢がそれぞれ入る。カロリー数３４には利用者が一度の食事で摂取すべきカロリー数を性別３２、年齢３３より算出し入れる（カロリーの算出については後述する）。ＳＶ数（主菜）３５、ＳＶ数（副菜）３６には利用者が一度の食事で摂取すべきＳＶ数を入れる。上記「食事バランスガイド」より本発明では、年齢、性別問わず、ＳＶ数（主菜）＝３、ＳＶ数（副菜）＝３を入れる。最寄り駅３７には利用者が日頃利用する路線と駅名を、該当範囲３８には最寄駅を中心として半径何ｍ以内で買い物をするか、５０ｍ以内、１００ｍ以内、２００ｍ以内、４００ｍ以内のどれかが入る。苦手な食材(1)３９、苦手な食材(2)４０には上記特売情報ＤＢ１２０と紐づいた食材識別ＩＤが入る。
【００１７】
図６はレシピ検出プログラム１５０の機能構成を示したものである。レシピ検出プログラム１５０は、個人情報登録部４１、食材抽出部４２、メイン料理抽出部４３、サブ料理抽出部４４で構成されており、利用者への献立レシピ提供に必要なデータを取得し、処理するプログラムである。
【００１８】
以降、レシピ検出プログラム１５０のデータ処理について説明する。
【００１９】
まず、図７、図８、図９を用いて個人情報登録部４１の処理について説明する。図７は個人情報登録の流れをフロー図によって表したものである。利用者はサービスを受けるに当たり、個人情報入力画面より個人情報を入力する（Ａ０１）。図８は個人情報入力画面を表す図である。利用者は画面に従い、性別５１、年齢５２、自宅の最寄り駅５３、買い物範囲５４、苦手な食材１つ目５５、苦手な食材２つ目５６を入力する。入力されたデータは個人情報ＤＢ１４０のテーブルにそれぞれ格納される（Ａ０２）。性別５１は性別３２に、年齢５２は年齢３３に、自宅の最寄り駅５３は最寄り駅３７に、買い物範囲５４は該当範囲３８に、苦手な食材１つ目５５は苦手な食材(1)３９に、苦手な食材２つ目５６は苦手な食材(2)４０に格納される。性別３２、年齢３３にデータが格納されたのを契機に図９のカロリー対応表により摂取カロリーが算出される（Ａ０３）。算出されたカロリーは、個人情報ＤＢ１４０のカロリー数３４に格納される（Ａ０４）。
【００２０】
次に、図１０を用いて食材抽出部４２の処理について説明する。図１０は食材抽出の流れをフロー図によって表したものである。個人情報登録部４１により個人情報が登録されたのを契機に、個人情報ＤＢ１４０の最寄駅３７、該当範囲３８からデータを取得する（Ｂ０１）。取得したデータは、店舗情報ＤＢ１３０のテーブル最寄り駅２５、駅からの距離２６とそれぞれつき合わされ、両方に該当する店舗のＩＤが店舗ＩＤ２１より抽出される（Ｂ０２）。店舗ＩＤ２１は特売情報ＤＢ１２０の店舗ＩＤ２０と紐づいており、特売情報ＤＢ１２０より店舗ＩＤに該当するレコードが抽出される（Ｂ０３）。抽出されたレコードの食材識別ＩＤと、個人情報ＤＢ１４０の苦手な食材(1)３９、苦手な食材(2)４０をつき合わせ、一致したものがあった場合、その食材識別ＩＤをもつレコードは消去される（Ｂ０４）。また、同一の食材識別ＩＤを持つもので、価格の高いレコードは消去される（Ｂ０５）。
【００２１】
次に、図１１、図１２、図１３を用いてメイン料理抽出部４３の処理について説明する。図１１はメイン料理抽出の流れをフロー図によって表したものである。食材抽出部４２により食材が抽出されたのを契機に、利用者はメイン料理を選択する（Ｃ０１）。図１２はメイン料理選択画面を表す図である。利用者は画面に従い、料理の種類６１、調理時間６２、表示順６３を入力する。食材抽出部４２で抽出されたレコードの食材識別ＩＤをキー食材に持ち、利用者が入力した情報に当てはまる料理をレシピ情報ＤＢ１１０から抽出する（Ｃ０２）。レシピ情報ＤＢ１１０のカテゴリ(1)０２がメイン料理であり、キー食材１０が、抽出された食材識別ＩＤと一致し、カテゴリ(2)０３が料理の種類６１と一致し、カテゴリ(3)０４が調理時間６２と一致するものを抽出する。抽出された料理は表示順６３に従い、利用者に表示される（Ｃ０３）。図１３はメイン料理一覧が表示された画面を表す図である。
【００２２】
次に、図１３、図１４、図１５、図１６を用いてサブ料理抽出部４４の処理について説明する。図１４はサブ料理抽出の流れをフロー図によって表したものである。メイン料理抽出部４３により、利用者にメイン料理一覧が表示されると、利用者は図１３で表すメイン料理一覧から１つを選択し、決定ボタンを押す（Ｄ０１）。利用者がメイン料理を決定したのを契機に、選択された料理のカロリー数、ＳＶ数をレシピ情報ＤＢ１１０のカロリー数０５、ＳＶ数（主菜）０７、ＳＶ数（副菜）０８からそれぞれ抽出し、個人情報ＤＢ１４０に格納された利用者のカロリー数３４、ＳＶ数（主菜）３５、ＳＶ数３６（副菜）からそれぞれ引く。その後、個人情報ＤＢ１４０のカロリー数３４、ＳＶ数（主菜）３５、ＳＶ数３６（副菜）は演算後のデータに更新される（Ｄ０２）。更新後の個人情報ＤＢ１４０のカロリー数に残りがあり、かつＳＶ数（主菜、副菜共に）に残りがあるか判定する（Ｄ０３）。（カロリー数＞０）ＡＮＤ（（ＳＶ数(主菜)＞０）ＯＲ（ＳＶ数(副菜)＞０））を判定し、判定の結果、残りがある場合は、レシピ情報ＤＢ１１０から、食材抽出部４２で抽出されたレコードの食材識別ＩＤをキー食材に持ち、カテゴリ(1)０２がサブ料理である料理のうち、カロリー数≦カロリー数３４、かつＳＶ数（主菜）＝ＳＶ数３５（主菜）、ＳＶ数（副菜）＝ＳＶ数３６（副菜）となる組合せを抽出する（Ｄ０４）。抽出されたサブ料理の組合せと、メイン料理とを合わせ献立として決定する（Ｄ０５）。残りがない場合、献立はメイン料理のみとなる（Ｄ０５）。図１５は献立が表示された画面を表す図である。各献立の詳細ボタンをクリックすると、図１６の献立レシピ詳細画面に進む。献立レシピ詳細画面には、料理に関する情報として、料理名、必要な食材、作り方などが表示される。また、特売情報として、食材の価格と取扱店、店舗所在地などが表示される。
【００２３】
以上が、レシピ検出プログラム１５０のデータ処理である。
【符号の説明】
【００２４】
１００…献立レシピ提供サーバ、１１０…レシピ情報ＤＢ、１２０…特売情報ＤＢ、１３０…店舗情報ＤＢ、１４０…個人情報ＤＢ、１５０…献立レシピ検出プログラム、２００…端末装置、３００…レシピ提供サイト、４００…店舗サイト、５００…ネットワーク、４１…個人情報登録部、４２…食材抽出部、４３…メイン料理抽出部、４４…サブ料理抽出部。
【図１】
2010257271.tif 000003
【図２】
2010257271.tif 000004
【図３】
2010257271.tif 000005
【図４】
2010257271.tif 000006
【図５】
2010257271.tif 000007
【図６】
2010257271.tif 000008
【図７】
2010257271.tif 000009
【図８】
2010257271.tif 000010
【図９】
2010257271.tif 000011
【図１０】
2010257271.tif 000012
【図１１】
2010257271.tif 000013
【図１２】
2010257271.tif 000014
【図１３】
2010257271.tif 000015
【図１４】
2010257271.tif 000016
【図１５】
2010257271.tif 000017
【図１６】
2010257271.tif 000018